(57)【特許請求の範囲】
【請求項１】
磁気テープを巻装した単一のリールを回転可能に収容するカートリッジケースを備え、該カートリッジケースには前記磁気テープの先端に該磁気テープを引き出すために固着された引出部材が出し入れされる開口部が開口され、この開口部にはケース壁面を薄くして引出部材の端部を案内する挿入案内部が形成されてなる磁気テープカートリッジにおいて、
前記開口部の縁部位置における少なくとも前記挿入案内部の片側にケース表面から凹設した切欠き部を設けたことを特徴とする磁気テープカートリッジ。
【発明の詳細な説明】
【０００１】
【発明の属する技術分野】
本発明は、磁気テープカートリッジに関し、特にカートリッジケース内に磁気テープが巻装された単一のリールを回転可能に収容し、この磁気テープの先端に該磁気テープを引き出すためのリーダピン等の引出部材を固着してなる磁気テープカートリッジにおいて、上記リーダピンを出し入れするケース開口部分の構造に関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また不用意に磁気テープが引き出されないように構成されている。
【０００３】
また、上記磁気テープの先端部にはリーダピン等の引出部材が固着され、この引出部材を記録再生装置側で引き出して磁気テープの巻き取り又は巻き戻しを行うようにドライブ装置が構成される。そして、上記引出部材はカートリッジケースの開口部から出し入れされるもので、この開口部にはケース壁面を薄くして引出部材の端部を誘い込み案内する挿入案内部を形成して、引出部材の出し入れが簡易に行えるように設けることが好適である。
【０００４】
【発明が解決しようとする課題】
しかして、上記のような磁気テープカートリッジにおいては、前記挿入案内部が磁気テープカートリッジの落下時の衝撃により変形して使用不能となる恐れがある。
【０００５】
つまり、図８に例示するように、カートリッジケース４における磁気テープ６の先端に固着された引出部材５（リーダピン）を出し入れするための開口部１０は、略矩形状のケース４の角部４ａ近傍の側面に開口形成されており、開口部１０の内方の上下壁面には引出部材５の端部が挿入係止される凹状の格納部２０が設けられ、この格納部２０から開口端に向けてテーパー状の誘い込み構造に挿入案内部２１が設けられ、格納時の引出部材５の端部を案内する。そして、薄肉となっている挿入案内部２１はケース角部４ａの近傍に位置し、この角部４ａ（稜部）が下方となって落下した際、すなわち、角部４ａを直撃するように落下衝撃が作用すると、角部４ａから開口部１０の上下の壁面に衝撃波が伝播し、強度が低下している前記挿入案内部２１が鎖線で示すように座屈変形し、外表面に凸部が形成されドライブ装置に装填不能となると共に、挿入案内部２１による引出部材５の端部のガイドを行うことが不能となり、引出部材５の正常な出し入れが行えず、磁気テープカートリッジが使用不能となる問題を有する。
【０００６】
本発明は上記点に鑑みなされたもので、落下時等の衝撃によって開口部に設けた挿入案内部が変形するのを防止して信頼性を確保するようにした磁気テープカートリッジを提供せんとするものである。
【０００７】
【課題を解決するための手段】
上記課題を解決した本発明の磁気テープカートリッジは、磁気テープを巻装した単一のリールを回転可能に収容するカートリッジケースを備え、該カートリッジケースには前記磁気テープの先端に該磁気テープを引き出すために固着された引出部材が出し入れされる開口部が開口され、この開口部にはケース壁面を薄くして引出部材の端部を案内する挿入案内部を形成したものにおいて、前記開口部の縁部位置における少なくとも前記挿入案内部の片側にケース表面から凹設した切欠き部を設けたことを特徴とするものである。
【０００８】
前記切欠き部は開口部の縁部位置における挿入案内部の片側又は両側の位置に、好ましくは挿入案内部に隣接して設けるもので、特に、前記挿入案内部とケース角部との間に設けることが望ましい。
【０００９】
前記切欠き部の凹設隅部は曲面形状に設けるのが、この部分の変形を抑制する点で望ましい。また、この切欠き部のケース端面からの深さは、スライドドアのレール位置以前とするのが防塵性を保つ点から好適である。さらに、前記挿入案内部の先端部の位置は、側方のケース表面より内側に設けるようにしてもよい。
【００１０】
また、前記挿入案内部に補強部材をインサート成形して補強するか、カートリッジケースの角部を柔軟性を有する別部材で形成して、挿入案内部に伝播する衝撃波を低減するように設けてもよい。
【００１１】
【発明の効果】
上記のような本発明によれば、カートリッジケースの開口部に磁気テープの先端に固着した引出部材の端部を案内する挿入案内部を形成するについて、この開口部の縁部位置における少なくとも挿入案内部の片側にケース表面から凹設した切欠き部を設けたことにより、ケース角部が下方となって落下したときの落下衝撃に伴う衝撃波が挿入案内部に伝播するのを切欠き部の形成によって遮断するか変形を吸収し、薄肉で強度が低下している挿入案内部の座屈変形を防止することができ、ドライブ装置への装填性及び引出部材の案内動作の信頼性を高めることができる。
【００１２】
【発明の実施の形態】
以下、図面に示す実施の形態に基づいて本発明を詳細に説明する。図１は一つの実施の形態の磁気テープカートリッジの外観斜視図、図２はスライドドアが開いた状態の開口部の要部正面図、図３は上ケースを除去して示す下ケースの平面図、図４及び図５は図３のＡ−Ａ及びＢ−Ｂ断面図、図６はスライドドア及び内部構造を省略して示す開口部近傍の斜視図である。
【００１３】
磁気テープカートリッジ１は、上ケース２と下ケース３とがビス等により締結されてなるカートリッジケース４内に、先端に引出部材としてのリーダピン５が固着された磁気テープ６（図３参照）を巻装した単一のリール（図示せず）が回動可能に収容されている。上記カートリッジケース４の一側壁には、磁気テープ６を引き出すための開口部１０が形成され、この開口部１０は閉方向に付勢されたスライドドア１１により開閉される。
【００１４】
また、磁気テープカートリッジ１はその不使用時に磁気テープ６が完全にリールに巻き込まれた状態で、先端のリーダピン５が開口部１０の近傍に形成された凹状の格納部２０に係止される。この格納部２０には開口部１０に向けて誘い込み構造に形成された挿入案内部２１（ガイド面）が連設され、奥部の格納部２０に向けてリーダピン５の端部を案内するように形成されている。また、開口部１０の内側の上下ケース２，３には、前記スライドドア１１が移動するドアレール１２（摺動溝）が形成されている。
【００１５】
前記リーダピン５は、磁気テープカートリッジ１を使用する記録再生装置が磁気テープ６を装置内のテープ走行路に導入するために保持して引き込むものであり、このリーダピン５を前記格納部２０に着脱可能に保持するバネ部材によるロック部材７（図２，図３参照）が設置されている。そして、前記挿入案内部２１のケース角部４ａ側の縁部にケース表面から凹設した切欠き部２２が設けられている。
【００１６】
リーダピン５は図２に示すように、磁気テープ６の先端部が固着される中央軸部５ａの両側に記録再生装置側から係合保持される細軸部５ｂが形成され、その両端部にケース固定用のフランジ５ｃが形成されている。この両端のフランジ５ｃが開口部１０近傍の上下ケース２，３内壁に形成された挿入案内部２１で案内され、内部の格納部２０にそれぞれ挿入係止されると共に、上下ケース２，３で挟持された板バネによるロック部材７によって両フランジ５ｃが着脱可能に保持される。
【００１７】
前記ロック部材７は上下対称であり、平面が略Ｕ字形状であり、板状の取付部７ａがケース壁面に沿って上下ケース２，３の上下面に立設された取付ボス１３，１３によって保持され、上記取付部７ａの後端から湾曲した上下端部には開口部１０に向けて延びる腕部７ｂが連設され、この腕部７ｂの先端部にそれぞれ保持部７ｃが設けられ、該保持部７ｃがリーダピン５のフランジ５ｃに当接する。上記保持部７ｃはリーダピン５側に突出する山形に設けられ、先端側の斜面で開口部１０から挿入移動するリーダピン５に接触して撓み変形し、内部側の斜面でリーダピン５を格納部２０内に押圧保持するようになっている。
【００１８】
また、前記カートリッジケース１の開口部１０において、前記格納部２０は上下ケース２，３の内面と平行な平坦面に形成され、上下の間隔が前記リーダピン５の長さに設けられている。この格納部２０から開口部１０に向けて上下方向の間隔及び幅が広がるように開口端まで形成された前記挿入案内部２１は、先端部が上下ケース２，３のケース壁面を薄くしたテーパー状の傾斜曲面で構成されている。この挿入案内部２１を横切るように前記スライドドア１１が開閉摺動するドアレール１２が形成され、このドアレール１２の外側端部近傍から挿入案内部２１の傾斜面が形成されている。なお、ドアレール１２の底面に対して、前記挿入案内部２１の面は同一又は若干低く形成されている。
【００１９】
なお、上記スライドドア１１の先端部には外面側に突出する突起部１１ａが設けられ、この突起部１１ａに記録再生装置側の開操作部材が係止して該スライドドア１１の開作動を行うように設けられている。
【００２０】
そして、前記上下ケース２，３における開口部１０の縁部位置に、挿入案内部２１のケース角部４ａ側に隣接して、ケース表面からケース内方向に凹設した切欠き部２２が設けられている。この切欠き部２２は上下ケース２，３の上下面にまでその壁面を貫通して形成されている。なお、上記切欠き部２２は挿入案内部２１とケース角部４ａとの間にあれば、挿入案内部２１に隣接していなくてもよい。
【００２１】
上記切欠き部２２のケース端面からの深さｄ（図５参照）は、前記ドアレール１２の外側端部位置と同一かこれより外側の位置として、スライドドア１１が閉じた状態においてケース内外が連通しないようにして防塵性を保つように設ける。また、この切欠き部２２の奥部側の隅部は曲面形状（Ｒ形状）に設け、この部分への応力集中を軽減する形態とするのが望ましい。
【００２２】
上記のような構造のカートリッジケース１のスライドドア１１によって開かれた開口部１０から引き出されたリーダピン５は、磁気テープ６の巻き戻しに応じてカートリッジケース４内に格納されるときに、その位置が格納部２０とずれていても、リーダピン５のフランジ５ｃの端面が挿入案内部２１に当接して位置修正されつつ案内され、内部の格納部２０に引き込まれてロック部材７によって保持され、スライドドア１１が閉作動して開口部１０を塞ぎ、塵埃の侵入防止を行う。そして、搬送時等に磁気テープカートリッジ１が開口部１０近傍の角部４ａが下となって落下しても、その衝撃波が薄肉となっている挿入案内部２１に伝播するのを前記切欠き部２２の形成によって遮断し、挿入案内部２１の座屈変形を防止する。
【００２３】
図７は、他の実施の形態を示すものであり、前記挿入案内部２１の両側に切欠き部２２，２３が隣接して形成されている。ケース角部４ａと反対側の切欠き部２３の形状及び深さ等は前記切欠き部２２と同様に設けられている。
【００２４】
また、挿入案内部２１の先端部２１ａの位置は、側方のケース表面と同一に形成するか、これより内側に設けて、この先端部２１ａが他の部材と衝突干渉しないように形成するのが好適であり、前例においても同様である。
【００２５】
この実施形態では挿入案内部２１に対する左右いずれの方向からの衝撃波に対しても両側の切欠き部２２，２３によりその伝播を遮断し、より一層の挿入案内部２１の変形が防止できる。
【００２６】
また、上記実施の形態において、ケース角部４ａに近い位置の切欠き部２２は形成せず、離れた位置の切欠き部２３のみを形成するようにしてもよく、その場合には、前記ケース角部４ａから衝撃波が作用した際に挿入案内部２１は全体の変位が上記切欠き部２３で吸収され、この挿入案内部２１に座屈変形が発生するのを防止できる。
【００２７】
一方、前述のような各実施の形態に対して、さらに挿入案内部２１の変形を抑制する構成を付加してもよい。具体的には、図示していないが、挿入案内部２１に金属板等による補強部材をインサート成形で配設して、この挿入案内部２１を補強し変形を抑制する。又は、カートリッジケース４の角部４ａをウレタン樹脂等の柔軟性を有する別素材で形成し（二色成形で同時成形するか、成形したものを接合する）、挿入案内部２１に伝播する衝撃波そのものを低減するようにしてもよい。なお、前述のような切欠き部２２，２３を設置していないカートリッジケース４においても上記のような変形抑制構造を設けるようにしてもよい。
【００２８】
また、前記ロック部材７は前記実施の形態のような板バネによる上下一体型の他、上下で別体に線バネ又は板バネにより形成したものなどに適宜設計変更可能である。
【図面の簡単な説明】
【図１】本発明の一つの実施の形態による磁気テープカートリッジの外観斜視図
【図２】カートリッジケースのスライドドアが開いた状態の開口部近傍の正面図
【図３】上ケースを除去した開口部近傍の一部断面平面図
【図４】図３のＡ−Ａ線に沿うカートリッジケースの断面図
【図５】図３のＢ−Ｂ線に沿うカートリッジケースの断面図
【図６】図２のカートリッジケースの斜視図
【図７】他の実施の形態における上ケースを除去した開口部近傍の一部断面平面図
【図８】従来のカートリッジケースの要部斜視図
【符号の説明】
１    磁気テープカートリッジ
２    上ケース
３    下ケース
４    カートリッジケース
4a    ケース角部
５    リーダピン（引出部材）
６    磁気テープ
７    ロック部材
10    開口部
11    スライドドア
12    ドアレール
20    格納部
21    挿入案内部
22，23    切欠き部
【図１】
0003739579.tif 000002
【図２】
0003739579.tif 000003
【図３】
0003739579.tif 000004
【図４】
0003739579.tif 000005
【図５】
0003739579.tif 000006
【図６】
0003739579.tif 000007
【図７】
0003739579.tif 000008
【図８】
0003739579.tif 000009